(57)【特許請求の範囲】
【請求項１】
回転軸に挿嵌される軸取付孔を備えた固定部と、
前記固定部の周辺の一部から延びる連結部を介して固定部と一体構造で連結された調整部とからなる取付部材を備え、
前記調整部は回転軸の先端面より前方で固定部の前面側に配置され、かつ、調整部の前面側に反射鏡が、背面側にチョッパが取り付けられており、
前記連結部を除く固定部と調整部の間には、回転軸の軸芯と直交する方向に延びる調整用の隙間が形成され、
前記調整部前面に調整ネジが設けられ、この調整ネジを回動することにより、連結部を支点として調整部を変位させて反射鏡の取付角度を調整するようにしたことを特徴とするセクターミラー。
【請求項２】
前記調整用ネジが調整部の前面に３個設けられ、中央の調整ネジが連結部中心と回転軸の軸芯を結ぶ仮想直線の線上で連結部から遠隔点にある位置に配置され、他の２つは前記仮想直線の左右に配置されている請求項１に記載のセクターミラー。
【発明の詳細な説明】
【技術分野】
【０００１】
本発明は、分光光度計において光束の切り替えを行うセクターミラーに関し、具体的には、サンプル側光束とリファレンス側光束の二系統の光路を有するダブルビーム方式の分光光度計に用いられるセクターミラーに関する。
【背景技術】
【０００２】
ダブルビーム型分光光度計は、サンプルを通過した光と、リファレンス側試料を通過した光の比を測定することにより、サンプルの定量分析もしくは定性分析を行う装置であって、例えば、特許文献１や特許文献２で開示されているようなダブルビーム型分光光度計が知られている。
【０００３】
図４は、ダブルビーム型分光光度計の光路構成の一例を示すものである。
光源２０から発した光は回折格子などの分光素子を内装するモノクロメータ２１により単色光に分けられ、反射鏡２２を介して高速で回転するセクターミラー２３に送られる。セクターミラー２３に送られた光束はリファレンス側とサンプル側の二方向に交互に振り分けられる。セクターミラー２３で反射されたリファレンス側の光束Ｒは反射鏡２４を介してリファレンスセル２５（リファレンス側試料）に送られて透過し、反射鏡２６により反射されて光検出器２７に送られる。一方、セクターミラー２３の反射面にあたらなかった光束Ｓは、反射鏡２８を介してサンプルセル２９（サンプル側試料）に送られて透過し、反射鏡３０，３１により反射されて光検出器２７に送られる。リファレンスセル２５を透過したリファレンス側光束Ｒと、サンプルセル２９を通過したサンプル側光束Ｓは、セクターミラー２３の回転に同期して、交互に光検出器２７に導入されるので、この両者の受光信号を比較することにより、サンプルの透過率（あるいは吸光度）の定量分析もしくは定性分析を正確に行うことができる。
【０００４】
ところで、サンプルの正確な分析を行うためには、セクターミラー２３でリファレンス側光束Ｒとサンプル側光束Ｓを、予め設定した光路に沿って正確に振り分けなくてはならない。そのため、従来より、セクターミラー２３の反射鏡の取付角度を調整できるようにして両者間の光束にズレのないように調整している。
【０００５】
図５並びに図６は従来のセクターミラーの一例を示す正面図および断面図であって、モーター（不図示）によって駆動される回転軸３２に対し、固定部材３３が固定ネジ３４で固着されている。
固定部材３３には細径の軸部３５と大径のフランジ部３６が設けられ、細径の軸部３５の外周面に反射鏡４３を備えた調整部材３７が取り付けられている。軸部３５とその周りの調整部材３７との間には調整可能な隙間３８をあけて配置されている。軸部３５の後端には、光束Ｓを通過させる（明状態を作る）切欠き部分と、光を遮断して光束Ｓも光束Ｒも出射しない（暗状態を作る）遮蔽部分とが設けられたチョッパ３９が取り付けられ、チョッパ３９と反射鏡４３との間にリング状のスペーサ４０が介在されている。
固定部材３３のフランジ部３６の背面と調整部材３７との間には波座金４１が介在され、かつ固定部材３３のフランジ部３６と調整部材３７とは調整ネジ４２で連結されている。この調整ネジ４２はフランジ部３６の前面で回転軸の周りの三等分された箇所に３つ設けられている。この何れかの調整ネジ４２を回動することにより調整部材３７が回転軸３２との間に形成された隙間３８の範囲内で変位し、反射鏡４３の取付角度が調整できるようになっている。
また、固定部材３３、調整部材３７、反射鏡４３、スペーサ４０、チョッパ３９の各部材は１つのユニットとして組成され、回転軸３２に取り付ける構成となっている。
【０００６】
図７並びに図８は従来のセクターミラーの第二の例を示すものであり、回転軸４４に差し込まれて固定ビス４５で固着された固定部４６と、反射鏡４７やチョッパ４８を保持する調整部４９とは、連結部５０で連結された一体構造で形成されている。
固定部４６と調整部４９を一体結合する連結部５０は固定部４６並びに調整部４９の周辺の一部に形成されており、連結部５０を除く固定部４６と調整部４９の間には回転軸４４の軸芯と直交する方向に延びる調整用の隙間５１が形成されている。また、回転軸４４の周囲と調整部４９の軸孔５２の内面との間には、調整部４９が変位することが可能な隙間５３が設けられている。
固定部４６の前面には３個の調整ネジ５４ａ，５４ｂ，５４ｃが設けられ、中央の調整ネジ５４ａが連結部５０の中心と回転軸中心を結ぶ仮想直線５５の線上で連結部５０から遠隔点にある位置に配置され、他の２つは仮想直線５５の左右に配置されている。中央の調整ネジ５４ａはその先端が調整部４９の前面に当接する状態で形成され、左右の調整ネジ５４ｂ，５４ｃは先端部分が調整部４９にねじ込まれていて、回動することにより前記調整用の隙間５１の間隔を狭めたり、広げたりできるようにしている。これにより、３つの調整ネジを選択的に調整することによって、連結部５０を支点として調整部４９を変位させて反射鏡４７の取付角度を調整することができるようになっている。
【先行技術文献】
【特許文献】
【０００７】
【特許文献１】特開２００１−３５６０４９号公報
【特許文献２】特開２００２−０２２６５６号公報
【発明の概要】
【発明が解決しようとする課題】
【０００８】
しかしながら、図５、図６に示した前者の従来例では、回転軸３２に固定された固定部材３３と、反射鏡４３を備えた調整部材３７が一体構造ではなく、それぞれが別体で作られ、調整ネジ４２により調整可能な状態で連結されている構造であるため、力がかかると調整部材３７が動くことがあり、反射鏡４３の取付角度が変動するおそれがあった。
また、各部材を組成したユニットを回転軸３２に取り付ける際に、ユニットを貫通する軸挿入孔を回転軸３２の先端側から差し込まなくてはならないため、回転軸３２の先端側、即ち、反射鏡４３の反射面側の前方にユニット着脱のための空間を広く確保する必要があり、光学素子や構造物の配置の自由度に大きな制約を受けるといった問題点があった。
【０００９】
また、図７、図８に示した後者の従来例では、固定部４６と調整部４９とは一体構造であるため、調整部４９に固定された反射鏡４７は安定して保持することができる。
しかしながら、一体となった固定部４６と調整部４９とに貫通して回転軸４４が挿嵌されているので、先の従来例と同様に、全体を組成したユニットを回転軸に着脱するための空間を、反射鏡４７の反射面側に広く確保する必要があり、光学素子や構造物の配置の自由度に大きな制約を受けるといった問題点があった。
【００１０】
そこで本発明は、上記従来課題を解決し、簡単な構成で、メンテナンスがしやすいセクターミラーを提供することを目的とするものである。
【課題を解決するための手段】
【００１１】
上記目的を達成するために本発明では次のような技術的手段を講じた。即ち、本発明のセクターミラーでは、回転軸に挿嵌される軸取付孔を備えた固定部と、固定部の周辺の一部から延びる連結部を介して固定部と一体構造で連結された調整部とからなる取付部材を備え、調整部は回転軸の先端面より前方で固定部の前面側に配置され、かつ、調整部の前面に反射鏡が、背面側にチョッパが取り付けられており、前記連結部を除く固定部と調整部の間には、回転軸の軸芯と直交する方向に延びる調整用の隙間が形成され、調整部前面に調整ネジが設けられ、この調整ネジを回動することにより、連結部を支点として調整部を変位させて反射鏡の取付角度を調整するようにした。
【発明の効果】
【００１２】
本発明によれば、回転軸に固定される固定部と、反射鏡やチョッパを保持する調整部とは一体構造で形成されているため、構造的に強固で反射鏡を安定して保持することができる。また、取付部材の固定部にのみに回転軸が挿嵌されているので、回転軸に着脱する際のストロークが短く、着脱に必要な空間が小さくてすみ、しかも、固定部材の前面に取り付けられた反射鏡の反射面側には突出物が少ないので、反射鏡の反射面に近い位置に光学系素子や構造物を配置することが可能となって、性能を発揮するための合理的かつ有効な光学配置が可能となるといった効果がある。
【００１３】
また、本発明では、調整用ネジが調整部の前面に３個設けられ、中央の調整ネジが連結部中心と回転軸の軸芯を結ぶ仮想直線の線上で連結部から遠隔点にある位置に配置され、他の２つは前記仮想直線の左右に配置されている構成とするのがよい。
これにより、３つの調整ネジを選択的に調整することによって、反射鏡の傾きの方向をどの方向に対しても許容された範囲内で任意に調整することができる。
【図面の簡単な説明】
【００１４】
【図１】本発明に係るセクターミラーの一実施例を示す正面図。
【図２】図１のＡ−Ａ線断面図。
【図３】図１のＢ−Ｂ線断面図。
【図４】ダブルビーム型分光光度計の光路構成の一例を示す図。
【図５】従来のセクターミラーを示す正面図。
【図６】図５のセクターミラーの断面図。
【図７】従来のセクターミラーの第二の例を示す正面図。
【図８】図７のセクターミラーの断面図。
【発明を実施するための形態】
【００１５】
以下、本発明の一実施形態について、図に示した実施例に基づいて詳細に説明する。
図１並びに図２は本発明に係るセクターミラーの一実施例を示す。このセクターミラーは、図４で示したダブルビーム型分光光度計におけるモノクロメータからの単色光をリファレンス側光束Ｒとサンプル側光束Ｓの二方向に交互に振り分けるセクターミラーとして使用される。
【００１６】
セクターミラーＣは、モーター（不図示）によって駆動される回転軸１に固定ネジ６を介して固着された円盤状の取付部材２を備えている。この取付部材２は、回転軸１に挿嵌される軸取付孔３ａを備えた固定部３と、固定部３の周辺の一部から延びる連結部４を介して固定部３と一体構造で連結形成された調整部５とから構成されている。
【００１７】
調整部５は回転軸１の先端面より前方（図中左側を前方とする）で固定部３の前面側に配置され、かつ調整部５の前面に反射鏡７が取付ネジ８を介して取り付けられ、調整部５の背面側に取付ネジ９を介してチョッパ１０（遮蔽部材）が取り付けられている。また、連結部４を除く固定部３と調整部５の間には回転軸１の軸芯と直交する方向に延びる調整用の隙間Ｌが形成されている。
【００１８】
また、調整部５の前面に３個の調整ネジ１２ａ，１２ｂ，１２ｃが設けられている。中央の調整ネジ１２ａは、前記連結部４の中心と回転軸１の軸芯を結ぶ仮想直線Ｄの線上で連結部４から遠隔点（回転中心を挟んで反対側）にある位置に配置され、他の２つは前記仮想直線Ｄの左右で連結部４から離れた位置に配置されている。中央の調整ネジ１２ａはその先端が固定部３の前面に当接する状態で形成され、左右の調整ネジ１２ｂ，１２ｃは先端部分が固定部３にねじ込まれていて、回動することにより前記調整用の隙間Ｌの間隔を狭めたり、広げたりできるようにしている。これにより、３つの調整ネジ１２ａ，１２ｂ，１２ｃを選択的に調整することによって、反射鏡の傾きの方向をどの方向に対しても許容された範囲内で任意に調整することができるようになっている。
【００１９】
反射鏡７は背後に設けたチョッパ１０と協同して回転することにより、反射面７ａで入射光を反射したり、チョッパ１０の切欠き部分である開口部１０ａで透過したりできるように形成されている。また、チョッパ１０にはサンプル側光束Ｓもリファレンス側光束Ｒも発生しない暗状態で測定するための遮蔽部１０ｂと、回転数検出用の爪片１０ｃが設けられており、爪片１０ｃで検出した光信号によりＣＰＵなどの制御器を介して回転軸１を駆動するモーターの回転速度や測定のタイミングを制御する。
【００２０】
本発明では、回転軸１に固定される固定部３と、反射鏡７やチョッパ１０を保持する調整部５とが、一体構造で形成されているため、構造的に強固であり、反射鏡を安定して保持することができる。また、取付部材２の固定部３のみに回転軸１が挿嵌されているので、回転軸１に着脱する際のストローク（軸方向の移動量）が短くてすみ、着脱に必要な空間を小さくすることができる。しかも、固定部材３の前面に反射鏡７が取り付けられ、かつ反射鏡７の反射面側には突出物が少ないので、セクターミラーＣの反射面に近い位置に光学系素子や構造物を配置することが可能となって、測定性能を発揮するための合理的かつ有効な光学配置が可能となる。
【００２１】
以上本発明の代表的な実施例について説明したが、本発明は必ずしも上記の実施形態に特定されるものでなく、本発明の目的を達成し、請求の範囲を逸脱しない範囲内で適宜修正、変更することが可能である。
【産業上の利用可能性】
【００２２】
本発明は、ダブルビーム方式の分光光度計におけるセクターミラーとして好適に利用することができる。
【符号の説明】
【００２３】
Ｃ  セクターミラー
Ｌ  調整用の隙間
Ｄ  仮想直線
１  回転軸
２  取付部材
３  固定部
３ａ  軸取付孔
４  連結部
５  調整部
６  固定ネジ
７  反射鏡
８  反射鏡の取付ネジ
９  チョッパの取付ネジ
１０  チョッパ
１２ａ，１２ｂ，１２ｃ  調整ネジ
【図１】
0005533793.tif 000002
【図２】
0005533793.tif 000003
【図３】
0005533793.tif 000004
【図４】
0005533793.tif 000005
【図５】
0005533793.tif 000006
【図６】
0005533793.tif 000007
【図７】
0005533793.tif 000008
【図８】
0005533793.tif 000009